(57)【要約】【課題】プロジェクタからの映像を好適にスクリーンに投影可能な天吊式スクリーン装置を提供すること。【解決手段】本発明では、天吊式スクリーン装置であって、ケーシング内にて回転自在に設けられたスプリングロールと、収納時にスプリングロールに巻き戻しされ、使用時にスプリングロールから巻き出されるスクリーンとを備え、スプリングロールの端面に、巻き出される又は巻き戻されるスクリーンを所定位置に停止させるための停止手段が更に設けられており、および停止手段の主面がプレート形態を成すように構成されている、天吊式スクリーン装置が提供される。【選択図】図１
2018005055.tif 000002
【特許請求の範囲】
【請求項１】
天吊式スクリーン装置であって、
ケーシング内にて回転自在に設けられたスプリングロールと、収納時に前記スプリングロールに巻き戻しされ、使用時に前記スプリングロールから巻き出されるスクリーンと
を備え、
前記スプリングロールの端面に、巻き出される又は巻き戻される前記スクリーンを所定位置に停止させるための停止手段が更に設けられており、および該停止手段の主面がプレート形態を成すように構成されている、天吊式スクリーン装置。
【請求項２】
前記停止手段の主面は、前記スプリングロールの軸方向とは異なる方向に方向づけられている、請求項１に記載の天吊式スクリーン装置。
【請求項３】
前記停止手段の主面は、前記スプリングロールの前記軸方向に対して略垂直な方向に方向づけられている、請求項２に記載の天吊式スクリーン装置。
【請求項４】
前記停止手段は、平面視において前記主面側に内周溝、外周溝、および該内周溝と該外周溝とを連絡する複数の連絡溝を内部に有して成り、
前記複数の前記連絡溝が、平面視において交互に配置された、第１連絡溝と、被係止部材が係止可能な係止部を備えた第２連絡溝とから構成されており、および
前記停止手段は、全体として前記係止部を４つ以上８つ以下備えている、請求項１〜３のいずれかに記載の天吊式スクリーン装置。
【請求項５】
前記外周溝は、前記被係止部材を前記第１連絡溝を介して前記外周溝から前記内周溝へと導くための第１土手部を備えている、請求項４に記載の天吊式スクリーン装置。
【請求項６】
前記第１土手部が、平面視において前記第１連絡溝と相互に接するように構成されている、請求項５に記載の天吊式スクリーン装置。
【請求項７】
前記内周溝は、前記被係止部材を前記第２連絡溝を介して前記内周溝から前記外周溝へと導くための第２土手部を備えている、請求項４〜６のいずれかに記載の天吊式スクリーン装置。
【請求項８】
前記第２土手部が、平面視において前記第２連絡溝と相互に接するように構成されている、請求項７に記載の天吊式スクリーン装置。
【請求項９】
前記被係止部材は、前記複数の前記連絡溝を介して前記内周溝と前記外周溝との間を摺動自在に構成されており、並びに
前記第１連絡溝と前記内周溝との第１境界領域、前記内周溝と前記第２連絡溝との第２境界領域、および前記第２連絡溝と前記外周溝との第３境界領域に、前記被係止部材の摺動方向を一方向に制御するための段差部がそれぞれ形成されている、請求項４〜８のいずれかに記載の天吊式スクリーン装置。
【請求項１０】
前記第１境界領域において、前記第１連絡溝が前記内周溝よりも高く位置付けられるように前記段差部が形成されている、請求項９に記載の天吊式スクリーン装置。
【請求項１１】
前記第２境界領域において、前記内周溝が前記第２連絡溝よりも高く位置付けられるように前記段差部が形成されている、請求項９又は１０に記載の天吊式スクリーン装置。
【請求項１２】
前記第３境界領域において、前記第２連絡溝が前記外周溝よりも高く位置付けられるように前記段差部が形成されている、請求項９〜１１のいずれかに記載の天吊式スクリーン装置。
【請求項１３】
前記停止手段は、平面視において円形状を成している、請求項１〜１２のいずれかに記載の天吊式スクリーン装置。
【発明の詳細な説明】
【技術分野】
【０００１】
本発明は、スクリーン装置に関する。特に、本発明は、天吊式スクリーン装置に関する。
【背景技術】
【０００２】
従前より、天吊式スクリーン装置が用いられている。天吊式スクリーン装置は、プロジェクタと併用して一般的に用いられる。具体的には、天吊式スクリーン装置の構成要素であるスクリーンを一方向に引き下げ、当該スクリーンにプロジェクタから映像を投影するという形態が採られる。当該天吊式スクリーン装置１００’では、図５に示すようにスクリーン３０’を任意の位置に固定するための円筒カム機構４０’がスクリーンロール２０’の端部２１’に用いられている。当該円筒カム機構４０’は、円筒表面に溝４１’を備えている。また、当該溝４１’は、スクリーン２０’を任意の位置に固定するために作用する摺動ボールが係止可能な係止部４６’を備えている。
【先行技術文献】
【特許文献】
【０００３】
【特許文献１】特開２００４−３３３６０３号公報
【発明の概要】
【発明が解決しようとする課題】
【０００４】
ここで、本願発明者らは、円筒カム機構４０’を備えた天吊式スクリーン装置１００’では、以下の問題が生じ得ることを見出した。
【０００５】
円筒カム機構４０’は円筒形態を有するが故、当該円筒カム機構４０’を成形する際にいわゆる“アンダーカット部”に起因した成形不良箇所が生じるおそれがある。そのため、当該成形不良に起因して所望の円筒カム機構４０’を得ることができないおそれがある。そのため、スクリーンを任意の位置に好適に固定できないおそれがある。以上の事から、プロジェクタからの映像を好適にスクリーンに投影できないおそれがある。
【０００６】
本発明は、かかる事情に鑑みて為されたものである。すなわち、本発明の目的は、プロジェクタからの映像を好適にスクリーンに投影可能な天吊式スクリーン装置を提供することである。
【課題を解決するための手段】
【０００７】
上記目的を達成するために、本発明では、天吊式スクリーン装置であって、
ケーシング内にて回転自在に設けられたスプリングロールと、収納時にスプリングロールに巻き戻しされ、使用時にスプリングロールから巻き出されるスクリーンと
を備え、
スプリングロールの端面に、巻き出される又は巻き戻されるスクリーンを所定位置に停止させるための停止手段が更に設けられており、および停止手段の主面は、プレート形態を成すように構成されている、天吊式スクリーン装置が提供される。
【０００８】
ある好適な態様では、停止手段の主面は、スプリングロールの軸方向とは異なる方向に方向づけられている。
【０００９】
ある好適な態様では、停止手段の主面は、スプリングロールの軸方向に対して略垂直な方向に方向づけられている。
【００１０】
ある好適な態様では、停止手段は、平面視において内周溝、外周溝、および内周溝と外周溝とを連絡する複数の連絡溝を内部に有して成り、
複数の前記連絡溝が、平面視において交互に配置された、第１連絡溝と、被係止部材が係止可能な係止部を備えた第２連絡溝とから構成されており、および
停止手段は、全体として係止部を４つ以上８つ以下備えている。
【００１１】
ある好適な態様では、外周溝は、被係止部材を第１連絡溝を介して外周溝から内周溝へと導くための第１土手部を備えている。
【００１２】
ある好適な態様では、第１土手部が、平面視において第１連絡溝と相互に接するように構成されている。
【００１３】
ある好適な態様では、内周溝は、被係止部材を第２連絡溝を介して内周溝から外周溝へと導くための第２土手部を備えている。
【００１４】
ある好適な態様では、第２土手部が、平面視において第２連絡溝と相互に接するように構成されている。
【００１５】
ある好適な態様では、被係止部材は、複数の連絡溝を介して内周溝と外周溝との間を摺動自在に構成されており、並びに
第１連絡溝と内周溝との第１境界領域、内周溝と第２連絡溝との第２境界領域、および第２連絡溝と外周溝との第３境界領域に、被係止部材の摺動方向を一方向に制御するための段差部がそれぞれ形成されている。
【００１６】
ある好適な態様では、第１境界領域において、第１連絡溝が内周溝よりも高く位置付けられるように段差部が形成されている。
【００１７】
ある好適な態様では、第２境界領域において、内周溝が第２連絡溝よりも高く位置付けられるように段差部が形成されている。
【００１８】
ある好適な態様では、第３境界領域において、第２連絡溝が外周溝よりも高く位置付けられるように段差部が形成されている。
【００１９】
ある好適な態様では、停止手段は、平面視において円形状を成している。
【発明の効果】
【００２０】
本発明の天吊式スクリーン装置によれば、プロジェクタからの映像を好適にスクリーンに投影可能である。
【図面の簡単な説明】
【００２１】
【図１】図１は、本発明の実施形態に係るスクリーン装置を示した概略斜視図を示す。
【図２】図２は、本発明の実施形態に係るスクリーン装置の構成要素である停止手段を示した概略平面図を示す。
【図３】図３は、スクリーン巻き出し時における被係止部材の動作を示した概略断面図を示す。
【図４】図４は、スクリーン巻き戻し時における被係止部材の動作を示した概略断面図を示す。
【図５】従来のスクリーン装置を示した概略図を示す。
【発明を実施するための形態】
【００２２】
以下、本発明の一実施形態に係る天吊式スクリーン装置について図面を用いて説明する。
【００２３】
まず、本発明の一実施形態に係るスクリーン装置１００の全体的構成について説明する。
【００２４】
図１に示すように、本発明の一実施形態に係るスクリーン装置１００は、ケーシング１０内にて回転自在に設けられたスプリングロール２０と、スプリングロール２０に巻回可能なスクリーン３０とを備えている。当該スクリーン３０は、収納時にスプリングロール２０に巻き戻しされ、使用時にスプリングロール２０から巻き出されるように構成されている。本発明の一実施形態に係るスクリーン装置１００は、スプリングロール２０の端面２１に、巻き出される又は巻き戻されるスクリーン３０を所定位置に停止させるための停止手段４０を更に備えている。図１に示すように、当該停止手段４０の主面４０ａはプレート形態を成すように構成されている。具体的には、停止手段４０の主面４０ａが、図１に示すようにスプリングロール２０の軸方向２２とは異なる方向２３に方向づけられている。なお、ケーシング１０内にてスプリングロール２０と停止手段４０との効率的な配置を鑑みて、停止手段４０の主面４０ａは、スプリングロール２０の軸方向２２に対して略垂直な方向に方向づけられていることが好ましい。停止手段４０の主面４０ａがプレート形態を成すが故、停止手段４０を成形する際にいわゆる“アンダーカット部”が生じにくい。従って、本発明では、停止手段４０において“アンダーカット部”に起因した成形不良箇所の発生を抑制することができ得る。従って、それに起因してスクリーン３０を任意の位置に好適に停止させることができ得る。その結果、プロジェクタからの映像を好適にスクリーン３０に投影でき得る。なお、停止手段４０は、特に限定されるものではないが平面視において円形状を成していてよい。
【００２５】
以下、本発明の一実施形態に係るスクリーン装置１００の構成要素である停止手段４０の構成について説明する。
【００２６】
図２に示すように、停止手段４０は、平面視において主面４０ａ側に内周溝４１、外周溝４２、および内周溝４１と外周溝４２とを連絡する複数の連絡溝４３を内部に有して成る。また、停止手段４０は、中央部にスプリングロールと接続し、かつケーシング１０の側面と接続するための接続口４０ｂを備えている。複数の連絡溝４３は、平面視において交互に配置された第１連絡溝４４と、第２連絡溝４５とを有して成る。第２連絡溝４５は、被係止部材が係止可能な係止部４６を備えている。後述するが、被係止部材が係止部４６に係止すると、停止手段４０と接続されたスプリングロールに巻回自在とするスクリーンが当該係止により任意の位置で停止/固定され得る。なお、本明細書でいう「被係止部材」は、係止部４６に係止可能なものであれば特に限定されるものではなく、例えば一端が係止部４６に係止可能な突部を備え、他端が軸支された金属部材（図３および図４参照）、および摺動ボール（図示せず）等であってよい。当該被係止部材は、複数の連絡溝４３を介して内周溝４１と外周溝４２との間を摺動自在に構成されている。
【００２７】
上述のように、停止手段４０の主面４０ａはプレート形態を成すが故、停止手段４０において主面４０ａ側に設ける係止部４６の設置自由度を向上させることができ得る。つまり、係止部４６の設置箇所数の制約を受けにくくし得る。換言すれば、係止部４６の設置箇所数を相対的に多くすることができ得る。そのため、例えば、図２に示すように、停止手段４０は、全体として４つの係止部４６を備えることができ得る。これに限定されず、停止手段４０は、停止手段４０の寸法を鑑みて全体として例えば８つ以下の係止部を備えることができ得る。以上の事からも、係止部４６の設置箇所数を相対的に多くすることができ得ることに起因して、スクリーンを任意の位置に停止させるためのピッチを小さくすることができ得る。従って、スクリーン３０を任意の位置により好適に停止させることができ得る。その結果、プロジェクタからの映像をより好適にスクリーンに投影でき得る。
【００２８】
なお、図５に示す従来の円筒カム機構４０’（円筒型の停止手段に相当し得る）では、
係止部４６’は「円筒型」カム機構の表面の溝４１’に供されるため、これに起因して係止部４６’の設置数に制約が生じやすいと言える。具体的には、従来の円筒カム機構４０’では、最大でも３つの係止部４６’を供することが限界であると言える。これに対して、本発明では、上述のように停止手段４０の主面４０ａがプレート形態を成すが故、停止手段４０において主面４０ａ側に設ける係止部４６の設置自由度を向上させることができ得る。この点においても、停止手段４０は、従来の円筒カム機構４０’と比べて優れた効果を奏し得る。
【００２９】
図２に示す態様では、外周溝４２は第１土手部４２ａを備えている。具体的には、第１土手部４２ａは、平面視において第１連絡溝４４と相互に接するように構成されている。当該第１土手部４２ａは、後述する被係止部材が外周溝４２を矢印Ａの方向に摺動する場合において、被係止部材が第１土手部４２ａを越えて外周溝４２をそのまま摺動するのではなく第１連絡溝４４を介して外周溝４２から内周溝４１へと進入できるように構成されている。その一方で、第１土手部４２ａは、後述する被係止部材が外周溝４２を矢印Ｂの方向（矢印Ａの方向とは反対方向）に摺動する場合において、被係止部材が外周溝４２をそのまま摺動することができるように構成されている。つまり、ここでいう「第１土手部」とは、被係止部材が外周溝４２を一方向に沿って摺動する場合にのみ被係止部材の摺動方向を切替え制御可能である部材を意味する。
【００３０】
図２に示す態様では、内周溝４１は第２土手部４１ａを備えている。具体的には、第２土手部４１ａは、平面視において第２連絡溝４５と相互に接するように構成されている。当該第２土手部４１ａは、後述する被係止部材が内周溝４１を矢印Ｃの方向に摺動する場合において、被係止部材が第２土手部４１ａを越えて内周溝４１をそのまま摺動するのではなく第２連絡溝４５を介して内周溝４１側から外周溝４２側へと進入できるように構成されている。その一方で、第２土手部４１ａは、後述する被係止部材が内周溝４１を矢印Ｄの方向（矢印Ｃの方向とは反対方向）に摺動する場合において、被係止部材が内周溝４１をそのまま摺動することができるように構成されている。つまり、ここでいう「第２土手部」とは、被係止部材が内周溝４１を一方向に沿って摺動する場合にのみ被係止部材の摺動方向を切替え制御可能である部材を意味する。
【００３１】
また、図２に示す態様では、第１連絡溝４４と内周溝４１との第１境界領域４７、内周溝４１と第２連絡溝４５との第２境界領域４８、および第２連絡溝４５と外周溝４２との第３境界領域４９に、「段差部Ｌ」がそれぞれ形成されている。具体的には、第１境界領域４７において、第１連絡溝４４が内周溝４１よりも高く位置付けられるように段差部Ｌが形成されている。また、第２境界領域４８において、内周溝４１が第２連絡溝４５よりも高く位置付けられるように段差部Ｌが形成されている。第３境界領域４９において、第２連絡溝４５が外周溝４２よりも高く位置付けられるように段差部Ｌが形成されている。かかる段差部Ｌの配置により、被係止部材の摺動方向を一方向にのみ制御することができる。
【００３２】
＜スクリーン装置の動作＞
以下、本発明の一実施形態に係るスクリーン装置の動作について説明する。
【００３３】
１．スクリーン巻き出し
以下、スクリーンを下側方向へ巻き出す態様について説明する。
【００３４】
スクリーン３０の下側方向への巻き出しを開始すると、それに併せてスクリーン３０が巻回され得るスプリングロールに接続された停止手段が巻き出し方向（図３（ａ）の時計回りの矢印方向）に回転する。当該停止手段の回転により、被係止部材５０は、内周溝４１を図３（ａ）の時計回りの矢印方向に摺動し始める（図３（ａ）参照）。この場合、上述のように第２土手部４１ａは、被係止部材５０が内周溝４１をそのまま摺動することができるように構成されているため（図２参照）、スクリーン３０を下側方向へ継続して巻き出すことができ得る。
【００３５】
なお、例えば、スクリーン３０を巻き出している際に、任意の箇所にスクリーン３０を停止させる場合には、スクリーン３０を若干上方に巻き出し、被係止部材５０の摺動方向（図２の矢印Ｄ方向に相当）を反対方向（図２の矢印Ｃ方向に相当）にすることによって、内周溝４１を摺動する被係止部材５０を第２土手部４１ａに突き当てる。図２に示すように、第２土手部４１ａは、被係止部材５０が内周溝４１を矢印Ｃの方向に摺動する場合において、被係止部材５０が第２土手部４１ａを越えて内周溝４１をそのまま摺動するのではなく第２連絡溝４５を介して内周溝４１側から外周溝４２側へと進入できるように構成されている。以上により、被係止部材５０が内周溝４１から所定箇所の第２連絡溝４５に摺動する。この時、第２連絡溝４５には係止部４６が設けられているため、摺動した被係止部材５０は当該係止部４６にて係止する（図２および図３（ｂ）参照）。被係止部材５０が係止部４６に係止すると、停止手段４０と接続されたスプリングロールに巻回自在とするスクリーン３０が当該係止により任意の位置で停止/固定され得る。これにより、スクリーン３０を任意の位置で停止させることができ得る。なお、上述のように、内周溝４１と第２連絡溝４５との第２境界領域４８にて、内周溝４１が第２連絡溝４５よりも高く位置付けられるように段差部Ｌが形成されているため、被係止部材５０の内周溝４１側への摺動阻止が可能である。
【００３６】
被係止部材５０が係止部４６に係止した後、再びスクリーン３０の巻き出しを開始すると、被係止部材５０の係止部４６への係止が解除され、係止解除された被係止部材５０は外周溝４２側へと移る（図示せず）。なお、上述のように、第２連絡溝４５と外周溝４２との第３境界領域４９において、第２連絡溝４５が外周溝４２よりも高く位置付けられるように段差部Ｌが形成されているため、被係止部材５０の第２連絡溝４５側への摺動阻止が可能である。
【００３７】
被係止部材５０が外周溝４２に位置した状態で引き続きスクリーン３０を巻き出すと、被係止部材５０が外周溝４２を一方向（図２の矢印Ａ方向に相当）に摺動し、摺動する被係止部材５０が第１土手部４２ａに突き当たる。図２に示すように、第１土手部４２ａは、被係止部材５０が外周溝４２を矢印Ａの方向に摺動する場合において、被係止部材５０が第１土手部４２ａを越えて外周溝４２をそのまま摺動するのではなく第１連絡溝４４を介して外周溝４２から内周溝４１へと進入できるように構成されている。従って、第１土手部４２ａに突き当たった被係止部材５０は、第１連絡溝４４を摺動し、その後内周溝４１へと移る。なお、上述のように、第１連絡溝４４と内周溝４１との第１境界領域４７において、第１連絡溝４４が内周溝４１よりも高く位置付けられるように段差部Ｌが形成されているため、被係止部材５０の第１連絡溝４４側への摺動阻止が可能である。
【００３８】
なお、例えば、スクリーン３０を引き続き巻き出し、次いでスクリーン３０をすみやかに停止させる際には、被係止部材５０が先刻で係止した係止部４６に近接する別の係止部４６に係止するように、内周溝４１から所定箇所の第２連絡溝４５に被係止部材５０を摺動させる。本発明では、上述のように、停止手段の主面がプレート形態を成すが故、係止部４６の設置箇所数の制約を受けにくくし得る。つまり、係止部４６の設置箇所数を相対的に多くすることができ得る。そのため、スクリーン３０を任意の位置に固定するためのピッチを小さくすることができ得る。従って、任意の箇所で巻き出しを停止させたスクリーン３０をすみやかに再び停止させることができ得る。つまり、スクリーン３０を任意の位置に固定するためのピッチを小さくすることができ得る。
【００３９】
２．スクリーン巻き戻し
以下、スクリーンを上側方向へ巻き戻す態様について説明する。
【００４０】
スクリーン３０の巻き戻しを開始すると、それに併せてスクリーン３０が巻回され得るスプリングロールに接続された停止手段が巻き戻し方向（図４（ａ）の反時計回りの矢印方向）に回転する。当該停止手段の回転により、被係止部材５０の係止部４６への係止が解除され、係止解除された被係止部材５０は係止部４６から外周溝４２側へと移る（図示せず）。外周溝４２側へと移った被係止部材５０は、スクリーン３０の巻き戻しに併せて外周溝４２を摺動する。この場合の摺動方向は、図２の矢印Ｂ方向に相当する。
【００４１】
なお、例えば、スクリーン３０を巻き戻している際に、任意の箇所にスクリーン３０を停止させる場合には、スクリーン３０を若干下方に巻き出し、被係止部材５０の摺動方向（図２の矢印Ｂ方向に相当）を反対方向（図２の矢印Ａ方向に相当）にすることによって、外周溝４２を摺動する被係止部材５０を第１土手部４２ａに突き当てる。図２に示すように、第１土手部４２ａは、被係止部材５０が外周溝４２を矢印Ａの方向に摺動する場合において、被係止部材５０が第１土手部４２ａを越えて外周溝４２をそのまま摺動するのではなく第１連絡溝４４を介して外周溝４２から内周溝４１へと進入できるように構成されている。以上の事から、第１土手部４２ａに突き当たった被係止部材５０は、第１連絡溝４４を摺動して内周溝４１へと移る。
【００４２】
内周溝４１へ移った被係止部材５０は、内周溝４１を一方向（図２の矢印Ｃ方向に相当）に摺動し（図４（ａ）参照）、次いで内周溝４１に設けられた第２土手部４１ａに突き当たって、内周溝４１から第２連絡溝４５へと進入する。図２に示すように、第２土手部４１ａは、被係止部材５０が内周溝４１を矢印Ｃの方向に摺動する場合において、被係止部材が第２土手部４１ａを越えて内周溝４１をそのまま摺動するのではなく第２連絡溝４５を介して内周溝４１から外周溝４２へと進入できるように構成されている。従って、第２連絡溝４５に進入した被係止部材５０は、第２連絡溝４５に設けられた係止部４６に係止する（図４（ｂ）参照）。上述のように、被係止部材５０が係止部４６に係止すると、停止手段４０と接続されたスプリングロールに巻回自在とするスクリーン３０が当該係止により任意の位置で停止/固定され得る。これにより、スクリーン３０を任意の位置で停止させることができ得る。
【００４３】
被係止部材５０が係止部４６に係止した後、再びスクリーン３０の巻き戻しを開始すると、被係止部材５０の係止部４６への係止が解除され、係止解除された被係止部材５０は外周溝４２側へと移る（図示せず）。なお、上述のように、外周溝４２と第２連絡溝４５との第３境界領域４９にて、第２連絡溝４５が外周溝４２よりも高く位置付けられるように段差部Ｌが形成されているため、被係止部材５０の第２連絡溝４５側への摺動阻止が可能である。
【００４４】
なお、例えば、巻き戻し開始したスクリーン３０をすみやかに停止させる際には、被係止部材５０が先刻で係止した係止部４６に近接する別の係止部４６に係止するように、外周溝４２から所定箇所の第１連絡溝４４を介して内周溝４１に被係止部材５０を摺動させる。ここで留意すべき点は、上述のスクリーン巻き出し時とは異なり、被係止部材５０は図２に示す矢印Ｃの方向に実質的に摺動する。そのため、被係止部材５０は、内周溝４１を摺動した後、内周溝４１に設けられた第２土手部４１ａに突き当たって、内周溝４１から第２連絡溝４５へと進入する。第２連絡溝４５に進入した被係止部材５０は、第２連絡溝４５に設けられた係止部４６に係止する。なお、上述のように、内周溝４１と第２連絡溝４５との第２境界領域４８にて、内周溝４１が第２連絡溝４５よりも高く位置付けられるように段差部Ｌが形成されているため、被係止部材５０の内周溝４１側への摺動阻止が可能である。これにより、任意の箇所で巻き戻しを停止させたスクリーン３０をすみやかに再び停止させることができ得る。つまり、スクリーンを任意の位置に固定するためのピッチを小さくすることができ得る。
【００４５】
以上、本発明の一実施形態に係る天吊式スクリーン装置について説明してきた。しかしながら、これに限定されることなく、特許請求の範囲に規定される範囲から逸脱することなく種々の変更が当業者によってなされると理解されよう。
【産業上の利用可能性】
【００４６】
本発明の一実施形態に係る天吊式スクリーン装置は、プロジェクタ、特に超短焦点プロジェクタを搭載するために利用可能である。
【符号の説明】
【００４７】
１００    スクリーン装置
１００’  従来のスクリーン装置
１０    ケーシング
２０    スプリングロール
２１    スプリングロールの端面
２２    スプリングロールの軸方向
２３    スプリングロールの軸方向とは異なる方向
３０    スクリーン
３０’  スクリーン      
４０    停止手段
４０ａ  停止手段の主面
４０ｂ  停止手段の中央部
４０’  円筒カム機構
４１    内周溝
４１’  溝
４１ａ  第２土手部
４２    外周溝
４２ａ  第１土手部
４３    連絡溝
４４    第１連絡溝
４５    第２連絡溝
４６    係止部
４６’  係止部
４７    第１境界領域
４８    第２境界領域
４９    第３境界領域
５０    被係止部材
Ａ      被係止部材の摺動方向
Ｂ      被係止部材の摺動方向
Ｃ      被係止部材の摺動方向
Ｄ      被係止部材の摺動方向
【図１】
2018005055.tif 000003
【図２】
2018005055.tif 000004
【図３】
2018005055.tif 000005
【図４】
2018005055.tif 000006
【図５】
2018005055.tif 000007